(57)【特許請求の範囲】
【請求項１】
前半調整底板２を一体に設けた前半部１ａと、前記前半調整底板２の後部２ａと対面連接する調整踵体３を一体に設けた後半部１ｂから構成する伸縮自在靴１において、前記前半調整底板２は、その後部２ａの左右側縁２ａ１、２ａ２を前後の調節移動方向と平行に形成すると共に、後部２ａの裏面及び左右側縁２ａ１、２ａ２に夫々外方へ、前後の調節移動方向に所要の等間隔を存して突出する係合突条５を設け、前記調整踵体３は、前記前半調整底板２の後部２ａ及びその左右側縁２ａ１、２ａ１に適合し、上面の周囲に前縁が開口して接続する後半側壁部１５を有し、その後半側壁部１５の内側に凹陥内底面部６を形成すると共に、その凹陥内底面部６の内底面６ａ及び凹陥平行内壁面６ｂ、６ｂに前記前半調整底板２の係合突条５と適合して係合する係合溝７を前後調節移動方向に前記係合突条５と同じ等間隔を存して形成していることを特徴とする伸縮自在靴。
【請求項２】
前記前半部１ａと一体で前記前半調整底板３の上方に離隔して対面する前半中敷板１０を配備し、その前半中敷板１０と前記前半調整底板２に案内軸１１を差渡配備し、前半部１ａの前半側壁部１２の両側壁内面に、ベルベットファスナー等の前半調整係合部材１３を取付けていることを特徴とする請求項１の伸縮自在靴。
【請求項３】
前記後半部１ｂと一体で前記調整踵体３の凹陥内底面部６の上方に離隔して対面する後半調整底板１４を配備し、この後半調整底板１４により調整踵体３の凹陥内底面部６の上方を閉鎖し、開口する前縁から前記前半調整底板２を内方に押し込んで差入れ、その前半調整底板２の後部２ａの係合突条５を調整踵体３の凹陥内底面部６の内底面６ａ及び凹陥平行内壁面６ｂ、６ｂ形成した係合溝７に係合して左右の振れ及び相互に移動を停止していることを特徴とする請求項２の伸縮自在靴。
【請求項４】
前記後半部１ｂの調整踵体３と接続する後半側壁部１５の外面にベルベットファスナー等の後半側壁外面調整係合部材１６を取付け、この後半側壁外面調整係合部材１６と前記前半側壁内面調整係合部材１３を係合し、前半部１ａと後半部１ｂの側壁部を一体に接続していることを特徴とする請求項３の伸縮自在靴。
【請求項５】
前記後半調整底板１４の上面にベルベットファスナー等の後半調整底板上面調整係合部材１７を取付け、その後半調整底板上面調整係合部材１７を前記前半中敷板１０の前半中敷板下面調整係合部材１８と係合し、前半部１ａと後半部１ｂを一体に接続していることを特徴とする請求項４の伸縮自在靴。
【発明の詳細な説明】
【０００１】
【発明の属する技術分野】
この発明は、幼児・児童の足の大きさに伸縮調節し、または幼児・児童の成長に適合して靴のサイズを変える事ができる伸縮自在靴に関する。
【０００２】
【発明が解決しようとする課題】
従来の伸縮靴は、本出願人おいても、実用新案登録第３０１４８５７号として提案している。しかし、この従来の伸縮靴は、靴の全体を前半部と後半部に分割し、これらの前半部と後半部を調節固定する構成が、その第１の構成では、ピンと長孔で前後にスライド自在に連結するとともに、それらのスライド対応面にベルベットファスナーを配備して圧着固定ができるようにしていたから、調整する場合に自由度が大きく微調整が困難であった。その第２の構成では、ビスとそのビスに螺合する圧着固定金具を配備していたので、固定が確実でなかった。その第３の構成では、ビスと螺合する圧着固定金具がローレット状の係合面を有していたが、固定は確実ではなかった。そこで、圧着固定金具が緩むので、靴底の接続部が一体化せず、前半部と後半部がピンを中心に、左右に屈曲することがあり、このため安定性に欠ける欠点があった。
【０００３】
この発明はかかるぐらつきを可及的に少なくすることを目的になされたものである。
【０００４】
【課題を解決するための手段】
前半調整底板を一体に設けた前半部と、前記前半調整底板の後部と対面連接する調整踵体を一体に設けた後半部から構成する伸縮自在靴において、前記前半調整底板は、その後部の左右側縁を前後の調節移動方向と平行に形成すると共に、後部の裏面及び左右側縁に夫々外方へ、前後の調節移動方向に所要の等間隔を存して突出する係合突条を設け、前記調整踵体は、前記前半調整底板の後部及びその左右側縁に適合し、上面の周囲に前縁が開口して接続する後半側壁部を有し、その後半側壁部の内側に凹陥内底面部を形成すると共に、その凹陥内底面部の内底面及び凹陥平行内壁面に前記前半調整底板係合突条と適合して係合する係合溝を前後調節移動方向に前記係合突条と同じ等間隔を存して形成していることを特徴とする伸縮自在靴にある。
【０００５】
前記前半部と一体で前記前半調整底板の上方に離隔して対面する前半中敷板を配備し、その前半中敷板と前記前半調整底板に案内軸を差渡配備し、前半部の前半側壁部の両側壁内面に、ベルベットファスナー等の前半調整係合部材を取付けていることを特徴とする伸縮自在靴としてもよいものである。
【０００６】
前記後半部と一体で前記調整踵体の凹陥内底面部の上方に離隔して対面する後半調整底板を配備し、この後半調整底板により調整踵体の凹陥内底面部の上方を閉鎖し、開口する前縁から前記前半調整底板を内方に押し込んで差入れ、その前半調整底板の後部の係合突条を調整踵体の凹陥内底面部の内底面及び凹陥平行内壁面に形成した係合溝に係合して左右の振れ及び相互に移動を停止していることを特徴とする伸縮自在靴としてもよいものである。
【０００７】
前記後半部の調整踵体と接続する後半側壁部の外面にベルベットファスナー等の後半側壁外面調整係合部材を取付け、この後半側壁外面調整係合部材と前記前半側壁内面調整係合部材を係合し、前半部と後半部の側壁部を一体に接続していることを特徴とする伸縮自在靴としてもよいものである。
【０００８】
前記後半調整底板の上面にベルベットファスナー等の後半調整底板上面調整係合部材を取付け、その後半調整底板上面調整係合部材を前記前半中敷板の前半中敷板下面調整係合部材と係合し、前半部と後半部を一体に接続していることを特徴とする伸縮自在靴としてもよいものである。
【０００９】
【発明の実施の態様】
前半調整底板を一体に設けた前半部と、前記前半調整底板の後部と対面連接する調整踵体を一体に設けた後半部から構成する伸縮自在靴において、前記前半調整底板は、その後部の左右側縁を前後の調節移動方向と平行に形成すると共に、後部の裏面及び左右側縁に夫々外方へ、前後の調節移動方向に所要の等間隔を存して突出する係合突条を設け、前記調整踵体は、前記前半調整底板の後部及びその左右側縁に適合し、上面の周囲に前縁が開口して接続する後半側壁部を有し、その後半側壁部の内側に凹陥内底面部を形成すると共に、その凹陥内底面部６の内底面６ａ及び凹陥平行内壁面６ｂ、６ｂに前記前半調整底板２の係合突条５と適合して係合する係合溝７を前後調節移動方向に前記係合突条５と同じ等間隔を存して形成し、前記前半部と一体で前記前半調整底板の上方に離隔して対面する前半中敷板を配備し、その前半中敷板と前記前半調整底板に案内軸を差渡配備し、前半部の前半側壁部の内面に、ベルベットファスナー等の前半調整係合部材を取付け、前記後半部と一体で前記調整踵体の上方に離隔して対面する後半調整底板を配備し、この後半調整底板により調整踵体の内底面部の上方を閉鎖し、開口する前縁から前記前半調整底板を内方に押し込んで差入れ、その前半調整底板の後部の係合突条を調整踵体の内底面部の係合溝に係合し、前記後半部の調整踵体と接続する後半側壁部の外面にベルベットファスナー等の後半側壁外面調整係合部材を取付け、この後半側壁外面調整係合部材と前記前半側壁内面調整係合部材を係合し、前半部と後半部の側壁部を一体に接続してなる伸縮自在靴。
【００１０】
【実施例】
以下、この発明の前半調整底板２を一体に設けた前半部１ａと、前記前半調整底板２と対面連接する調整踵体３を一体に設けた後半部１ｂとから構成する伸縮自在靴１を図面に示す実施例によって説明すると、図１〜図３は、その取付け構造を例示するものである。
【００１１】
前記前半部１ａと一体に設ける前半調整底板２は、図４〜図６に示すように、その前半調整底板２の後部２ａの左右側縁２ａ１、２ａ２を前後の調節移動方向と平行に形成すると共に、後部２ａの裏面及びに左右側縁２ａ１、２ａ２より突出する係合突条５を、前後の調節移動方向に所要の等間隔４を存して設けてなるものである。前記係合突条５は、後部２ａの裏面に外方に突出して形成される主部係合突条５ａと、後部２ａの左右側縁２ａ１、２ａ２より外方に突出して形成される側部係合突条５ｂから構成される。
【００１２】
前記後半部１ｂと一体に設けた調整踵体３は、図７および図８に示すように、その上面の周囲に接続し、前縁３ｂが開口する後半側壁部１５を有し、その後半側壁部１５の内側に前記前半部１ａ一体に設ける前半調整底板２の後部２ａの左右側縁２ａ１、２ａ２に適合して凹陥内底面部６を形成すると共に、その凹陥内底面部６の内底面６ａ及び凹陥平行内壁面６ｂ、６ｂに前記前半調整底板２の係合突条５と適合して係合する係合溝７を前後調節移動方向に前記係合突条５と同じ等間隔８を存して形成している。前記係合溝７は、凹陥内底面部６の内底面に形成される主部係合溝７ａと凹陥平行内壁面６ｂ、６ｂに形成される凹陥内壁面部係合溝７ｂ、７ｂから構成される。
【００１３】
前記前半調整底板２は、その後部２ａの裏面及び左右側縁２ａ１、２ａ２より外方に係合突条５を設ける関係で、素材はその係合圧に耐えるものが選定されるが、皮革素材を利用したときには、部分的に強化材を施して補強するか、別材を接続する。また調整踵体３は合成ゴム等の弾性材が使用される。
【００１４】
前記前半部１ａと一体で、前半調整底板２の上方に離隔して前半中敷板１０を配備し、その前半中敷板１０と前記前半調整底板２に案内軸１１を差渡配備し、前半部１ａの両側壁内面に、ベルベットファスナー等の前半側壁内面調整係合部材１３、１３を取り付けている。
【００１５】
前記後半部１ｂと一体で、調整踵体３の上方に後半調整底板１４を配備し、この後半調整底板１４により調整踵体３の凹陥内底面部６の上方を閉鎖し、開口する前縁３ａから前記前半調整底板２を押し込んで差入れ、凹陥内底面部６の内底面６ａ及び凹陥平行内壁面６ｂ、６ｂに形成した係合溝７に前半調整底板２の係合突条５を係合して前半部１ａと後半部１ｂの左右の振れを規制し、相互の移動を停止している。
【００１６】
前記調整踵体３の後半側壁部１５の両側壁外面にベルベットファスナー等の後半側壁外面調整係合部材１６、１６を取付け、この後半側壁部１５の後半側壁外面調整係合部材１６、１６と前記前半側壁内面の調整係合部材１３、１３を係合し、前半部１ａの前半側壁部１２と後半部１ｂの後半側壁部１５を一体に接続している。
【００１７】
前記後半調整底板１４の上面にベルベットファスナー等の後半調整底板上面調整係合部材１７を取付け、その後半調整底板上面調整係合部材１７を前記前半調整底板２の上方に配備した前半中敷板１０の後部の下面に設けているベルベットファスナー等の前半中敷板下面調整係合部材１８と係合し、前半部１ａと後半部１ｂの底部を一体に接続してなるものである。
【００１８】
１９は後半調整底板１４の前部１４ａに設けた案内長孔で、前半部１ａの前半調整底板２と前半中敷板１０を後半部１ｂの内側に、その前半調整底板２と前半中敷板１０で後半部１ｂの後半調整底板１４を挟んで、その前半調整底板２の後部を調整踵体３の凹陥内底面部６に押し込み、前半調整底板２の後部の下面の係合突条５を調整踵体３の凹陥内底面部６の内底面６ａ及び凹陥平行内壁面６ｂ、６ｂに形成した係合溝７に係合した後、前半調整底板２の透孔２０と前半中敷板１０の透孔２１を貫通する前記案内軸１１を、案内長孔１９を通し、その上下端を抜け止めとして前半部１ａと後半部１ｂの相互を前後にスライド自在に止めるものである。
【００１９】
【発明の効果】
この発明の伸縮自在靴は、以上のように、前半調整底板を一体に設けた前半部と、前記前半調整底板の後部と対面連接する調整踵体を一体に設けた後半部から構成する伸縮自在靴において、前記前半調整底板は、その後部の左右側縁を前後の調節移動方向と平行に形成すると共に、その後部の裏面及び左右側縁に夫々外方へ、前後の調節移動方向に所要の等間隔を存して突出する係合突条を設け、前記調整踵体は、前記前半調整底板の後部及びその左右側縁に適合し、上面の周囲に前縁が開口して接続する後半側壁部を有し、その後半側壁部の内側に凹陥内底面部６を形成すると共に、その凹陥内底面部の上面及び凹陥平行内壁面に前記前半調整底板の係合突条と係合する係合溝を前後調節移動方向に前記係合突条と同じ等間隔を存して形成しているから、係合幅が横断方向に可及的広く、前半部と後半部と一直線に接続され、そのため、前半部と後半部から構成される靴底が左右に屈曲することがないものである。
【００２０】
またこの発明は、前半部の前半側壁部の両側内壁面に、ベルベットファスナー等の調整係合部材を夫々取付け、後半部の後半側壁部の両側外壁面にベルベットファスナー等の調整係合部材を取付け、この後半部の調整係合部材と前記前半部の調整係合部材を係合し、また後半部の調整踵体の凹陥係合突条部の上方に離隔して配備した後半調整底板の上面にベルベットファスナー等の調整係合部材を取付け、その調整係合部材を前記前半部の前半調整底板の上方に配備した前半中敷板の後部下面に設けているベルベットファスナー等の調整係合部材と係合し、前半部と後半部の側壁部と底部を一体に接続しているから、前半部と後半部との直線接続が二重に補強され、前半部と後半部の底部が左右に屈曲することがなく、側壁部および底部が一枚物のように堅固な靴になるのである。
【図面の簡単な説明】
【図１】  この発明の調整底板を一体に設けた前半部と調整踵体を一体に設けた後半部から構成される伸縮自在靴において、その内部構造および外観の実施例を示す側面図である。
【図２】  同じく、この発明の伸縮自在靴において、前半調整底板を一体に設けた前半部の実施例を示す側面図である。
【図３】  同じく、この発明の伸縮自在靴において、調整踵体を一体に設けた後半部の実施例を示す平面図である。
【図４】  同じく、この発明の伸縮自在靴において、前半部の前半調整底板単体の実施例を示す表面図である。
【図５】  同じく、その裏面図である。
【図６】  同じく、図１のＡ−Ａ線に沿う断面図である。
【図７】  同じく、この発明の伸縮自在靴において、後半部の調整踵体単体の実施例を示す平面図である。
【図８】  同じく、図４のＢ−Ｂ線に沿う断面図である。
【図９】  同じく、この発明の伸縮自在靴において、前半部の前半調整底板と後半部の調整踵体を、靴の最小の大きさに縮小して係合した状態を説明する平面図である。
【図１０】  同じく、その前半調整底板と調整踵体を、靴の中間の大きさに係合した状態を説明する平面図である。
【図１１】  同じく、その前半部の前半調整底板と後半部の調整踵体を、靴の最大の大きさ伸張して係合した状態を説明する平面図である。
【符号の説明】
１  伸縮自在靴
１ａ  前半部
１ｂ  後半部
２  前半調整底板
２ａ  後部
２ａ１  左側縁
２ａ２  右側縁
３  調整踵体
３ａ  開口
４  等間隔
５  係合突条
５ａ  主部係合突条
５ｂ 側部係合突条
６  凹陥内底面部
６ａ  内底面
６ｂ  凹陥平行内壁面
７  係合溝
７ａ  主部係合溝
７ｂ  内壁面部係合溝
８  等間隔
９  係合側溝
１０  前半中敷板
１１  案内軸
１２  前半側壁部
１３  前半調整係合部材
１４  後半調整底板
１５  後半側壁部
１６  後半側壁外面調整係合部材
１７  後半調整底板上面調整係合部材
１８  前半中敷板下面調整係合部材
１９  案内長孔
２０  透孔
２１  透孔
【図１】
0003975455.tif 000002
【図２】
0003975455.tif 000003
【図３】
0003975455.tif 000004
【図４】
0003975455.tif 000005
【図５】
0003975455.tif 000006
【図６】
0003975455.tif 000007
【図７】
0003975455.tif 000008
【図８】
0003975455.tif 000009
【図９】
0003975455.tif 000010
【図１０】
0003975455.tif 000011
【図１１】
0003975455.tif 000012